(57)【要約】【課題】  従来、ポンプなどでポリエチレンのタンクから灯油を１つ１つカートリッジ式給油タンクに給油していたものを、このポリエチレンのタンクを用いることなく直接灯油入りのカートリッジ式給油タンクをそのまま石油ストーブに入れて利用せんとする。【解決手段】  灯油入りのカートリッジ式給油タンクをそのまま通い箱に入れるか、一方向開閉弁を外部から接触しないように保護カバーを設置したものを搬送してそのまま石油ストーブに設置し、しかも複数のカートリッジ式給油タンクからの灯油を切換スイッチにより切り換え可能にすることで、灯油の入れ替え作業を省くことで長時間灯油を燃焼することができるようにした。【選択図】      図１
2004317106.tif 000002
【特許請求の範囲】
【請求項１】
灯油を収納し底部に給油口を垂設するタンク本体と前記給油口に取り付けた一方向開閉弁付きのキャップとからなるカートリッジ式給油タンクにおいて、
前記一方向開閉弁に少なくとも外部から該弁を押圧して灯油を外部に漏出しないようにした保護カバーを設けたことを特徴とするカートリッジ式給油タンク。
【請求項２】
前記保護カバーを、前記カートリッジ式給油タンクを収納してガソリンスタンドなどの灯油貯蔵所から石油ストーブのある場所へ搬送する通い箱に設置したことを特徴とする請求項１に記載のカートリッジ式給油タンク。
【請求項３】
前記保護カバーが、前記開閉弁付きのキャップを覆うとともに、前記給油タンクに着脱自在に設置したものである請求項１に記載のカートリッジ式給油タンク。
【請求項４】
前記通い箱には、前記保護カバーとしての突出部を設けた前記カートリッジ式給油タンクの台座を設けたことを特徴とする請求項２に記載のカートリッジ式給油タンク。
【請求項５】
前記請求項２又は３のカートリッジ式給油タンクを複数個装備した石油ストーブであって、前記複数個のカートリッジ式給油タンクと石油ストーブの燃焼部間に切換スイッチを設けることにより、各カートリッジ式給油タンクから燃焼部へ灯油を交互に供給可能にした石油ストーブ。
【発明の詳細な説明】
【技術分野】
【０００１】
本発明は、石油ヒータや石油ファンヒータなど石油ストーブに用いる灯油をガソリンスタンドなどの貯蔵所において直接カートリッジ式給油タンクへ供給し、これの一方向開閉弁に保護カバーを取り付けて搬送する構造のカートリッジ式給油タンクと、そのタンクを用いた石油ストーブに関する。
【背景技術】
【０００２】
消費者から注文を受けた灯油業者は、石油ストーブに備えるカートリッジ式給油タンクに入れる量の２〜３倍の量の灯油をポリエチレンのタンク、いわゆるポリタンクと称する灯油容器に入れて消費者に１本〜数本配送するとともに、灯油が空になった別のポリタンクを持ち帰っていた。一方、消費者側では石油ストーブのカートリッジ式給油タンクが空になるか、その少し手前で該タンクを抜き取り、タンクの底部に位置する給油口に螺着してあるキャップを外してから、別に用意したポンプ器具により前記ポリタンの灯油をカートリッジ式給油タンクに入れて、石油ストーブに再装着して点火・使用している（特許文献１）。
また、蓋付きの石油タンクの中に前記蓋と螺着する予備のポリタンクを用いた先行技術がある（特許文献２）が、これはポリタンクを石油タンクに入れることで万一ポリタンクが壊れても石油が漏れないようにするとともに、ポリタンクの口と石油タンクの蓋の中央部の噛み合わせにパッキンを設けてポリタンクの外面に石油が付着しないようにしたものである。
【特許文献１】特許第３２４５９１３号公報
【特許文献２】特開平９−２６１２９号公報
【発明の開示】
【発明が解決しようとする課題】
【０００３】
しかしながら、上記特許文献１の石油ストーブは、ガソリンスタンドなど灯油配送業者により運ばれてきたポリタンク内の灯油は、個々の家庭においてポンプ器具を用いてカートリッジ式給油タンクに詰め替えてから石油ストーブへセットしなければならなかった。このことは、ストーブを止めた寒い屋外でポンプ器具を使用しなければならず、面倒であるばかりか、脳卒中などの危険があり、特に老人の家庭などでは灯油を床に漏らしたり、前記タンクのキャップが緩んだまま石油ストーブへセットする場合など火災の危険があった。
また、上記特許文献２のものは、石油タンクとポリタンクの両方を石油ストーブ内に入れて使うものであり、予備のポリタンクは空になったら取り替える、例えば家庭のテーブル上での焼物や煮物などに使用するガス燃焼器具の使い捨てのガスボンベのようなものである。したがって、この発明の目的は、配送用として使われるものでなく、配送業者と消費者間で使われる通い箱などの保護カバーに関するものではない。
【０００４】
本発明の目的は、第１に灯油の補給の際の火災や脳卒中からの危険を回避し、何よりも石油ストーブから空のカートリッジ式給油タンクを抜き取り、灯油の入った新たなタンクを交換するだけで、灯油交換という危険な作業を回避するだけでなく、石油ストーブへのポンプによる灯油の入れ替え作業をなくすることにある。
【０００５】
本発明の別の目的は、ガソリンスタンドなど灯油を扱う専門家の灯油配送業者の側で多数のカートリッジ式給油タンクに予め灯油を入れておき、また同業者においても前記タンクの形態が従来のポリタンクとは大きく違うために、灯油ではなく誤ってガソリンを入れるといった不注意をなくすることにある。
本発明の更に別の目的は、保護カバーを用いるもののカートリッジ式給油タンクに予め１回だけ灯油を入れることで、従来の業者によるポリタンクへの灯油の供給と利用者によるポンプでのカートリッジ式給油タンクへの排出作業をなくすることにある。
【課題を解決するための手段】
【０００６】
本発明は、上記目的に鑑みてなされてものであり、その要旨は灯油を収納し底部に給油口を垂設するタンク本体と前記給油口に取り付けた一方向開閉弁付きのキャップとからなるカートリッジ式給油タンクにおいて、前記一方向開閉弁に少なくとも外部から該弁を押圧して灯油を外部に漏出しないようにした保護カバーを設けたことを特徴とするカートリッジ式給油タンクにある。
【０００７】
上記本発明によれば、今まで石油ストーブがある家庭内で、ポンプ等を用いてポリタンクから灯油をカートリッジ式給油タンクに供給する作業を省くだけでなく、配送業者が家庭に代わって前記カートリッジ式給油タンクに灯油を入れるだけで、そのまま石油ストーブに用いることができる。すなわち、配送業者によるカートリッジ式給油タンクの配送により、家庭内での灯油の入れ替え作業をなくした。すなわち、本発明のカートリッジ式給油タンクは、石油ストーブの灯油燃焼により灯油が空又は空近くになったタンクと、満タン又は満タン近くのタンクを交替するだけで石油ストーブの灯油の入れ替えを可能にした。
【０００８】
本発明の上記保護カバーを、カートリッジ式給油タンクの一方向開閉弁を外部から触れないように、通い箱に設置することで、貯蔵時はもちろん搬送時に油漏れしないカートリッジ式給油タンクを提供した。
また、別の本発明はカートリッジ式給油タンクの一方向開閉弁を設けたキャップに保護カバーを設置することで、簡易な構造により貯蔵時はもちろん搬送時でのタンクからの油漏れを防止した。
【０００９】
さらに、本発明の石油ストーブにカートリッジ式給油タンクを複数個装備しているので、一方の灯油の入ったタンクから燃焼部まで灯油を導いて火を付けることで、他方のタンクを予備状態にし、また新たに灯油が入ったタンクを入れ替える間でも、他のタンクの方で連続的に火を燃やしておく石油ストーブを提供することができる。すなわち石油ストーブに複数個のカートリッジ式給油タンクを備え、切換スイッチを設けることより各タンクから灯油を常時燃焼部へ供給することで、間断なく火を燃やし続けることもできる。
【発明の効果】
【００１０】
本発明は、給油口に着脱する開閉弁付きのキャップを取り付けて灯油を収納したカートリツジ式給油タンクと、石油ストーブの燃焼部へ灯油を供給する通い箱とを組み合せるか、カートリッジ式給油タンクの給油口に保護カバーを設置することにより、灯油取扱業者により搬送したカートリッジ式給油タンクをそのまま直接石油ストーブへ設置することで、消費者においてカートリッジ内へ灯油を詰めるといった作業を省くことができ、石油ストーブへ安全かつ清潔に灯油タンクの詰め替えが得られる。しかもこの灯油の詰め替えも、カートリッジ式給油タンクの交換のみで達成することが可能になる。
【００１１】
また、石油ストーブに複数個のカートリッジ式給油タンクを備えたので、間断なく長時間の室内暖房ができる。
また、上記複数個のタンクからの灯油の供給を切換弁で切り換えて焼却部へ送るのでカートリッジ交換が手軽にできるだけでなく、暖房時の燃焼を一時中断することもない。
【発明を実施するための最良の形態】
【００１２】
本発明の灯油を入れたカートリッジ式給油タンクに、通い箱に入れるか、又は保護カバーを取り付けて灯油業者から消費者へ供給し、該タンクを石油ストーブに出し入れすることで燃焼部において灯油を燃やすことができる。また、カートリッジ式給油タンクを複数個石油ストーブに備えることで、燃焼の長時間化とタンク内での灯油切れを防止し、さらに石油ストーブ内の一方のタンクの交換時においても切換スイッチの切換えにより、他方のタンクによって石油ストーブの灯油燃焼の中断をなくするようにした。
【実施例１】
【００１３】
本発明である、灯油を外部に漏さないようにした保護カバー付きの通い箱を組み合せたカートリッジ式給油タンクの実施例を図１と図２及び図５と図６により説明する。
１はカートリッジ式給油タンクであり、その灯油５を収納した底部２７に垂設した給油口２には逆止弁として一方向開閉弁４付きのキャップ３を螺着している。一方向開閉弁４は、図２や図５に示すように逆止弁機構であり、詳細には押圧スプリング２５により弁体２３がシールリング２４を介して弁座３０に常に付勢されてシール（閉塞）されているが（図２）、弁体２３を石油ストーブ１６の灯油通路９の上部にある突起部１０により押圧スプリング２５の力に抗して上方に押し上げることで弁体２３はシールリング２４と共に弁座３０から上方へ外されて灯油５は弁孔２６から下方の灯油通路９内に落下する。
【００１４】
カートリッジ式給油タンク１は、灯油５を入れた状態で、通い箱７の内に入れて車等により運ばれる。また、このカートリッジ式給油タンク１には上記した一方向開閉弁４付きキャップ３を螺着しているが、このキャップ３付きのタンク１は通い箱７の下方内部に設けた支持杆８，８’で空中に保持された（上記キャップ３をカバーする突出部６’を設けた保護カバー）蓋無しの弁当受けのような形態の台座６で支えている。さらに、カートリッジ式給油タンク１の天板にはこのタンク１を通い箱７から引き上げる把っ手１３を設け、また下部側方に灯油の量を目視する目盛付き透孔１４が設けられている。
【００１５】
カートリッジ式給油タンク１を入れて運ぶ通い箱７は、上記した台座６とは反対側に、蓋１５が被せられ、通い箱７の上部両側の孔２８に手提げ１２を枢着状態に引っ掛けている。
なお、１１は灯油通路９から切換弁２２、電磁ポンプ１１及び気化器２０を経て燃焼部２１に灯油を導く電磁ポンプである。
【実施例２】
【００１６】
つぎに、図３に示すように、本発明の別の実施例であるカートリッジ式給油タンクの給油口には、さらに詳細には給油口の一方向開閉弁の弁体２３から灯油５が外部へ漏れないように、何らかの状況で外部から弁体２３の接触を防止する保護カバー４０を、前述した突出部６’付きの台座６を有する通い箱７に代えて、キャップ３のタンクの底部にある突出部６’の螺子とは段差により別に設けた螺子３１に螺着する。
なお、この保護カバー４０の上面にはマグネットペーパー（マグネチックシート）４１を添着することにより、この保護カバー４０を螺子３１から外した後に、図６の一部に磁着することで失くさないようにすることもできる。
また、図４（ａ）は、上記実施例２のカートリッジ式給油タンク１を５箇並べて収納した収納ケース３２を示し、この収納ケース３２には４つの仕切板３３がある。また、図４（ｂ）は上記通い箱７の代わりに、保護カバー４０のみをカートリッジ式給油タンク１の底部に取りつけたものを、収納ケース３２の仕切板３３間に収納したものである。
【００１７】
上記実施例１のカートリッジ式給油タンク１を入れた通い箱７、又は実施例２の保護カバー４０付きのカートリッジ式給油タンク１の使用方法について、以下に説明する。まず、石油スタンドなど灯油の小売店では予め灯油５を入れた通い箱７、又は保護カバー４０付きのカートリッジ式給油タンク１を数多く設置しており、これらを顧客の注文に応じて、１個あるいは複数個配達する。この場合、顧客からの注文があってから、灯油５をカートリッジ式給油タンクに入れるか、予め入れておいて、上記カートリッジ式給油タンクを通い箱７とともに、または該タンクに保護カバー４０を付けた状態で1〜２個を配達するか、これら３個あるいはそれ以上５箇入りの収納ケース３２を配達する。
【実施例３】
【００１８】
つぎに、本発明のカートリッジ式給油タンク１を石油ストーブ１６に入れる状態を図５と図６により説明する。
配達された図１又は図３の灯油入りカートリッジ式給油タンク１をそれぞれ通い箱７から取り出すか、保護カバー４０を外してから、図６に示す石油ファンヒータとしての石油ストーブ１６にあるカートリッジ式給油タンク１の入口２９から矢印の方へ挿入することで、図６の状態から図５を経て、最終的に突起部１０で弁体２３を押し上げることで灯油５が灯油通路９内に落ち、電磁ポンプ１１により気化器２０を経てバーナ２１で点火される。このようにして、一方（図面上右側）のカートリッジ式給油タンク１の灯油５が無くなった場合は、他方（左側）のカートリッジ式給油タンク１’を用いる。この際切換弁２２により切換えてバーナ２１に灯油を供給する。なお、上記石油ストーブの側面にマグネットペーパー４２を設けておくことにより、カートリッジ式給油タンク１から外された保護カバー４０を磁着して、同カバーを紛失しないようにすることもできる。
また、１７は家庭電源に接続する差込みプラグであり、その電気で石油ストーブである石油ファンヒータのファン１８を回転するとともに、上記バーナを点火する。
【図面の簡単な説明】
【００１９】
【図１】本発明のカートリッジ式給油タンクの一部破断斜視図である。
【図２】図１のＡ−Ａ’の一部縦断面図である。
【図３】本発明の別の実施例であるカートリッジ式給油タンクの要部断面図である。
【図４】（ａ）は図１のカートリッジ式給油タンクを収納ケースに収納した斜視図である。（ｂ）は図３のカートリッジ式給油タンクを収納した斜視図である。
【図５】カートリッジ式給油タンクと石油ストーブのそれぞれの給油箇所の部分断面図である。
【図６】石油ストーブにカートリッジ式給油タンクを入れる状態の説明図である。
【符号の説明】
【００２０】
１，１’  カートリッジ式給油タンク
２  タンクの給油口
３  タンクのキャツプ
４  タンクの一方向開閉弁
５  灯油
７  通い箱
１６  石油ストーブ
２２  切換弁
４０  保護カバー
【図１】
2004317106.tif 000003
【図２】
2004317106.tif 000004
【図３】
2004317106.tif 000005
【図４】
2004317106.tif 000006
【図５】
2004317106.tif 000007
【図６】
2004317106.tif 000008